(57)【要約】【課題】光信号の伝送品質を高めること。【解決手段】信号送信装置１０は、複数本の本線伝送路３３ａ〜３３ｄを介して光信号を送信する本線伝送路送信部１９ａと、本線伝送路３３ａ〜３３ｄと対となる予備伝送路３４ａ，３４ｂを介して光信号を送信する予備伝送路送信部１９ｂを備える。また、信号送信装置１０は、光信号を送信する伝送路を、本線伝送路３３ａ〜３３ｄ及び予備伝送路３４ａ，３４ｂから選択する第１の選択部１２を備える。また、信号送信装置１０は、本線伝送路３３ａ〜３３ｄに異常が生じた場合に、光信号を受信する信号受信装置２０から異常が生じた本線伝送路を特定する情報を受け取る第１の制御部１８と、を備える。第１の制御部１８は、この情報に基づいて、予備伝送路３４ａ，３４ｂで光信号を送信するように本線伝送路送信部及び予備伝送路送信部のいずれかに切替える指示を第１の選択部１２に行う。【選択図】図２
2010161750.tif 000002
【特許請求の範囲】
【請求項１】
複数本の本線伝送路を介して光信号を送信する本線伝送路送信部と、
前記本線伝送路と対となる予備伝送路を介して前記光信号を送信する予備伝送路送信部と、
前記光信号を送信する伝送路を、前記本線伝送路送信部及び前記予備伝送路送信部によって前記光信号が送信されるいずれかの伝送路から選択する選択部と、
少なくとも１本の前記本線伝送路に異常が生じた場合に、前記光信号を受信する信号受信装置から受け取る、前記異常が生じた前記本線伝送路を特定する情報に基づいて、前記本線伝送路送信部には前記異常が生じた前記本線伝送路への前記光信号の送信を停止させ、前記予備伝送路送信部には前記異常が生じた前記本線伝送路へ送信していた前記光信号を前記予備伝送路に送信させる切替え指示を前記選択部に行う制御部と、を備える
信号送信装置。
【請求項２】
前記本線伝送路送信部及び前記予備伝送路送信部は、前記選択部によって選択された伝送路に送信される電気信号を前記光信号に変換する電光変換部を備え、
前記制御部は、前記光信号が伝送される前記本線伝送路又は予備伝送路に対応する前記電光変換部に供給する電力に対して、前記光信号が伝送されない前記本線伝送路又は予備伝送路に対応する前記電光変換部に供給する電力を抑える
請求項１記載の信号送信装置。
【請求項３】
入力されるパラレル形式の電気信号をシリアル形式の電気信号に変換し、前記シリアル形式の電気信号を前記選択部に供給するパラレル／シリアル変換部を備える
請求項２記載の信号送信装置。
【請求項４】
前記制御部は、選択された前記予備伝送路で前記光信号を送信するように前記本線伝送路送信部が用いる前記本線伝送路のうち一の本線伝送路から、前記予備伝送路のうち一の予備伝送路に切替える指示を前記選択部に行い、前記切替えた予備伝送路を特定する情報を前記信号受信装置に送信する
請求項３記載の信号送信装置。
【請求項５】
前記制御部は、制御信号を伝送する通信路を介して、前記信号受信装置から前記異常が生じた前記本線伝送路を特定する情報を受信し、前記信号受信装置に対して前記切替えた予備伝送路を特定する情報を送信する
請求項４記載の信号送信装置。
【請求項６】
前記本線伝送路送信部及び前記予備伝送路送信部は、前記電気信号にエラーチェックコードを埋め込む
請求項５記載の信号送信装置。
【請求項７】
本線伝送路を介して光信号を受信する本線伝送路受信部と、
前記本線伝送路と対となる予備伝送路を介して前記光信号を受信する予備伝送路受信部と、
前記光信号を受信する伝送路を、前記本線伝送路受信部及び前記予備伝送路受信部から選択する選択部と、
少なくとも１本の前記本線伝送路に異常が生じた場合に、前記異常が生じた本線伝送路を特定する情報を、前記光信号を送信する信号送信装置に送信し、前記本線伝送路受信部には前記異常が生じた前記本線伝送路からの前記光信号の受信を停止させ、前記予備伝送路受信部には前記異常が生じた前記本線伝送路から受信していた前記光信号を前記信号送信装置が指定した前記予備伝送路に受信させる切替え指示を前記選択部に行う制御部と、を備える
信号受信装置。
【請求項８】
前記本線伝送路送信部及び前記予備伝送路送信部は、前記本線伝送路及び前記予備伝送路を介して受信する前記光信号を電気信号に変換する光電変換部を備え、
前記制御部は、前記光信号が伝送される前記本線伝送路又は予備伝送路に対応する前記光電変換部に供給する電力に対して、前記光信号が伝送されない前記本線伝送路又は予備伝送路に対応する前記光電変換部に供給する電力を抑える
請求項７記載の信号受信装置。
【請求項９】
前記選択部から供給されるシリアル形式の電気信号をパラレル形式の電気信号に変換し、前記パラレル形式の電気信号を出力するシリアル／パラレル変換部を備える
請求項８記載の信号送信装置。
【請求項１０】
前記制御部は、制御信号を伝送する通信路を介して、前記信号送信装置に対して前記異常が生じた前記本線伝送路を特定する情報を送信し、前記信号送信装置から前記切替えた予備伝送路を特定する情報を受信する
請求項９記載の信号送信装置。
【請求項１１】
前記制御部は、前記光信号が光電変換された前記電機信号に埋め込まれるエラーチェックコードを解読することによって、前記本線伝送路の異常を検出する
請求項１０記載の信号受信装置。
【請求項１２】
前記制御部は、前記本線伝送路の異常を、前記光信号のレベルの変化によって検出する
請求項１０記載の信号受信装置。
【請求項１３】
複数本の本線伝送路を介して光信号を送信する本線伝送路送信部と、
前記本線伝送路と対となる予備伝送路を介して前記光信号を送信する予備伝送路送信部と、
前記光信号を送信する伝送路を、前記本線伝送路送信部及び前記予備伝送路送信部から選択する第１の選択部と、
少なくとも１本の前記本線伝送路に異常が生じた場合に、前記光信号を受信する信号受信装置から受け取る、前記異常が生じた前記本線伝送路を特定する情報に基づいて、前記本線伝送路送信部には前記異常が生じた前記本線伝送路への前記光信号の送信を停止させ、前記予備伝送路送信部には前記異常が生じた前記本線伝送路へ送信していた前記光信号を前記信号受信装置によって指定された前記予備伝送路に送信させる切替え指示を前記選択部に行う第１の制御部と、を備える信号送信装置と、
前記本線伝送路を介して光信号を受信する本線伝送路受信部と、
前記予備伝送路を介して前記光信号を受信する予備伝送路受信部と、
前記光信号を受信する伝送路を、前記本線伝送路受信部及び前記予備伝送路受信部から選択する第２の選択部と、
少なくとも１本の前記本線伝送路に異常が生じた場合に、前記異常が生じた本線伝送路を特定する情報を、前記信号送信装置に送信し、前記本線伝送路受信部には前記異常が生じた前記本線伝送路からの前記光信号の受信を停止させ、前記予備伝送路受信部には前記異常が生じた前記本線伝送路から受信していた前記光信号を前記信号送信装置が指定した前記予備伝送路に受信させる切替え指示を前記選択部に行う第２の制御部と、を備える信号受信装置と、を備える
信号伝送システム。
【発明の詳細な説明】
【技術分野】
【０００１】
本発明は、例えば、光信号を伝送する場合に適用して好適な信号送信装置、信号受信装置及び信号伝送システムに関する。
【背景技術】
【０００２】
従来、信号送信装置と信号受信装置の間を光ファイバ等の光伝送路で接続し、多量のデータを光信号に変換して送る伝送システムが知られている。光ファイバは、信号の損失が少なく、光信号を長距離にわたって伝送できる。また、光信号を多重化することによって、大容量のデータ通信が可能であった。
【０００３】
特許文献１には、光信号を伝送する光伝送路切替システムについて開示されている。
【先行技術文献】
【特許文献】
【０００４】
【特許文献１】特開２００３−２２９８１６号公報
【発明の概要】
【発明が解決しようとする課題】
【０００５】
ところで、従来の光伝送路は、一つの光コネクタに１つの光伝送路が用意され、光多重をして伝送帯域を確保する構成となっている。しかし、光伝送路が接続される光コネクタが埃等で汚れたり、破損したりすると完全に光信号を伝送できなくなる。この場合、予備の光伝送路に切替えて光信号を伝送することが行われる。
【０００６】
しかし、予備の光伝送路は、多くの光コネクタやケーブルが必要とされる。このため、光コネクタへのケーブル接続と配線の取り回しが非常に面倒となり、繋ぎ間違いが起きたり、接続に時間が掛かったりしてしまう。また、信号送信装置と信号受信装置に多くの光コネクタが設置されるため、信号送信装置と信号受信装置のサイズが大きくなりやすい。
【０００７】
本発明はこのような状況に鑑みて成されたものであり、光信号の伝送品質を高めることを目的とする。
【課題を解決するための手段】
【０００８】
本発明に係る信号送信装置は、複数本の本線伝送路を介して光信号を送信する本線伝送路送信部と、本線伝送路と対となる予備伝送路を介して光信号を送信する予備伝送路送信部を備える。
また、光信号を送信する伝送路を、本線伝送路送信部及び予備伝送路送信部から選択する選択部を備える。
また、選択部に光信号を送信する伝送路を選択させる切替え指示を行う制御部を備える。この制御部は、少なくとも１本の本線伝送路に異常が生じた場合に、光信号を受信する信号受信装置から異常が生じた本線伝送路を特定する情報を受け取る。
そして、この情報に基づいて、本線伝送路送信部には異常が生じた本線伝送路への光信号の送信を停止させ、予備伝送路送信部には異常が生じた本線伝送路へ送信していた光信号を予備伝送路に送信させる。
【０００９】
また、本発明に係る信号受信装置は、本線伝送路を介して光信号を受信する本線伝送路受信部と、本線伝送路と対となる予備伝送路を介して光信号を受信する予備伝送路受信部と、を備える。
また、光信号を受信する伝送路を、本線伝送路受信部及び予備伝送路受信部から選択する選択部を備える。
また、選択部に光信号を受信する伝送路を選択させる切替え指示を行う制御部を備える。この制御部は、少なくとも１本の本線伝送路に異常が生じた場合に、異常が生じた本線伝送路を特定する情報を、光信号を送信する信号送信装置に送信する。
そして、本線伝送路受信部には異常が生じた本線伝送路からの光信号の受信を停止させ、予備伝送路受信部には異常が生じた本線伝送路から受信していた光信号を信号送信装置が指定した予備伝送路に受信させる。
【００１０】
また、本発明に係る信号伝送システムは、上述した信号送信装置と信号受信装置と、を備える信号伝送システムとしたものである。
【００１１】
このようにしたことで、異常が発生した本線伝送路を予備伝送路に切替えて光信号の伝送を継続することができる。
【発明の効果】
【００１２】
本発明によれば、異常が発生した本線伝送路を予備伝送路に切替えて光信号の伝送を継続することができるため、本線伝送路又は予備伝送路に発生する障害に対して耐障害性が高まるという効果がある。
【図面の簡単な説明】
【００１３】
【図１】本発明の第１の実施の形態における光信号伝送システムの例を示す構成図である。
【図２】本発明の第１の実施の形態における光信号伝送システムの内部構成例を示すブロック図である。
【図３】本発明の第１の実施の形態における信号受信装置が伝送路を選択する処理例を示すシーケンス図である。
【図４】本発明の第２の実施の形態における光信号伝送システムの例を示す構成図である。
【図５】本発明の第１及び第２の実施の形態における信号送信装置が伝送路を選択する処理例の変形例を示すシーケンス図である。
【発明を実施するための形態】
【００１４】
以下、発明を実施するための最良の形態（以下実施の形態とする。）について説明する。なお、説明は以下の順序で行う。
１．第１の実施の形態（光信号の伝送制御：本線伝送路の異常発生時に信号受信装置が光伝送路を選択する処理の例）
２．第２の実施の形態（光信号の伝送制御：信号送信装置が光伝送路を選択する処理の例）
３．変形例
【００１５】
＜１．第１の実施の形態＞
以下、本発明の第１の実施形態について、図１〜図３を参照して説明する。本実施の形態では、信号送信装置１０と信号受信装置２０を備える信号伝送システム１に適用した例について説明する。
【００１６】
［信号伝送システムの外部構成例］
図１は、信号伝送システム１の外部構成例を示す。
信号伝送システム１は、光信号を送信する信号送信装置１０、光信号を受信する信号受信装置２０を備える。信号送信装置１０と信号受信装置２０は、光信号と電気信号を伝送するケーブル３０によって接続される。本例では、６本の光伝送路を用意しており、４本の光伝送路を本線伝送路とし、残りの２本の光伝送路を予備伝送路とする。また、制御信号を伝送する通信路も用意されており、これらの光伝送路と通信路が一つのケーブル３０に収められている。
【００１７】
信号送信装置１０は、電気信号を光信号に変換してケーブル３０に光信号を送信する光コネクタ１４を備える。光コネクタ１４は、ケーブル３０が備える光伝送路（後述する図２参照）に光信号を送信するための６個の接点１６ａ〜１６ｆと、ケーブル３０の通信路を介して電気信号を送受信するための２個の接点１７ａ，１７ｂを備える。
【００１８】
信号受信装置２０は、ケーブル３０を介して受信した光信号を電気信号に変換する光コネクタ２４を備える。光コネクタ２４は、ケーブル３０の光伝送路から光信号を受信するための６個の接点２６ａ〜２６ｆと、ケーブル３０の通信路から電気信号を受信するための２個の接点２７ａ，２７ｂを備える。
【００１９】
ケーブル３０は、信号送信装置１０の光コネクタ１４に接続される光コネクタ３１を一方の端部に備え、信号受信装置２０の光コネクタ２４に接続される光コネクタ３２を他方の端部に備える。ケーブル３０が備える本線伝送路と予備伝送路は、少なくとも１本以上とする。
【００２０】
本例の信号受信装置２０は、受信した光信号より光レベルの低下を検出したり、光信号から電気信号に変換してエラーを監視したりすることによって、光伝送路の異常の有無を検出する。電気的にエラーを監視する際には、ＣＲＣ（Cyclic Redundancy Check）等のエラーチェックコードを電気信号に埋め込む処理が行われる。
なお、光伝送路に発生する異常の有無の検出は、信号送信装置１０又は信号受信装置２０の起動時としたり、常時監視としたり、ユーザが指定する任意のタイミングとしてよい。
【００２１】
［信号伝送システムの内部構成例］
図２は、信号伝送システム１の内部構成例を示す。
信号送信装置１０は、第１〜第４の電気信号がシリアル形式で入力される入力部１１ａ〜１１ｄと、入力される第１〜第４の電気信号が伝送される光伝送路を選択する第１の選択部１２と、を備える。第１の選択部１２は、例えば、ルータであり、光信号を送信する伝送路を、本線伝送路送信部１９ａ及び予備伝送路送信部１９ｂによって光信号が送信されるいずれかの伝送路から選択する。
【００２２】
また、信号送信装置１０は、第１の選択部１２によって選択された電気信号に所定の処理を施す電気信号処理部１３ａ〜１３ｆを備える。電気信号処理部１３ａ〜１３ｆは、例えば、上述したエラーチェックコードを電気信号に埋め込む処理を行う。
【００２３】
また、信号送信装置１０は、電気信号処理部１３ａ〜１３ｆから供給される、第１の選択部１２によって選択された光伝送路に送信される電気信号を光信号に変換する電光変換部１５ａ〜１５ｆを備える。また、信号送信装置１０は、ケーブル３０の光コネクタ３１にインタフェースを合わせた接点１６ａ〜１６ｆを備える。
【００２４】
また、信号送信装置１０は、信号受信装置２０に制御信号を送信する接点１７ａと、信号受信装置２０から制御信号を受信する接点１７ｂと、信号送信装置１０内の各部の動作を制御する第１の制御部１８を備える。第１の制御部１８は、少なくとも１本の本線伝送路に異常が生じた場合に、信号受信装置２０から受け取る、異常が生じた本線伝送路を特定する情報に基づいて、本線伝送路送信部１９ａには異常が生じた本線伝送路への光信号の送信を停止させる。そして、第１の制御部１８は、予備伝送路送信部１９ｂには異常が生じた本線伝送路へ送信していた光信号を予備伝送路に送信させる切替え指示を第１の選択部１２に行う。
【００２５】
一方、信号受信装置２０は、信号送信装置１０から光信号を受信するため、ケーブル３０の光コネクタ３２にインタフェースを合わせた接点２６ａ〜２６ｆを備える。また、信号受信装置２０は、本線伝送路及び予備伝送路を介して受信する光信号として、接点２６ａ〜２６ｆから供給される光信号を電気信号に変換する光電変換部２５ａ〜２５ｆを備える。
【００２６】
また、信号受信装置２０は、光電変換部２５ａ〜２５ｆから供給される電気信号に所定の処理を施す電気信号処理部２３ａ〜２３ｆを備える。電気信号処理部２３ａ〜２３ｆは、電気信号に埋め込まれたエラーチェックコードを解読し、伝送途中におけるデータの欠落の有無を検出する。これによって、第２の制御部２８は、本線伝送路３３ａ〜３３ｄに生じた異常を検出する。なお、伝送路に発生する異常を検出する方法とその方式は本発明では特定しない。このため、それらを変えただけのものは本発明に含まれる。
【００２７】
また、信号受信装置２０は、電気信号処理部２３ａ〜２３ｆから供給される電気信号を選択する第２の選択部２２と、第２の選択部２２によって選択された電気信号を第１〜第４の電気信号として出力する出力部２１ａ〜２１ｄを備える。第２の選択部２２は、例えば、ルータであり、光信号を受信する伝送路を、本線伝送路受信部２９ａ及び予備伝送路受信部２９ｂによって光信号が受信されるいずれかの伝送路から選択する。
【００２８】
また、信号受信装置２０は、信号送信装置１０に制御信号を送信する接点２７ａと、信号送信装置１０から制御信号を受信する接点２７ｂと、信号受信装置２０内の各部の動作を制御する第２の制御部２８を備える。第２の制御部２８は、少なくとも１本の本線伝送路に異常が生じた場合に、異常が生じた本線伝送路を特定する情報を、光信号を送信する信号送信装置に送信し、本線伝送路受信部２９ａには異常が生じた本線伝送路からの光信号の受信を停止させる。そして、第２の制御部２８は、異常が生じた本線伝送路から受信していた光信号を、信号送信装置１０が指定した予備伝送路に受信させる切替え指示を第２の選択部２２に行う。
【００２９】
ここで、ケーブル３０は、４本の本線伝送路３３ａ〜３３ｄと、２本の予備伝送路３４ａ，３４ｂを備える。本線伝送路３３ａ〜３３ｄと予備伝送路３４ａ，３４ｂは、光信号を伝送するために、例えば、光ファイバケーブルが用いられる。また、ケーブル３０は、信号受信装置２０から信号送信装置１０に電気信号を送るための通信路３７ａと、信号送信装置１０から信号受信装置２０に電気信号を送るための通信路３７ｂを備える。
【００３０】
ケーブル３０の光コネクタ３１は、信号送信装置１０の光コネクタ１４の接点１６ａ〜１６ｆにインタフェースを合わせた接点３１ａ〜３１ｆを備える。また、光コネクタ３１は、信号送信装置１０の光コネクタ１４の接点１７ａ，１７ｂにインタフェースを合わせた接点３５ａ，３５ｂを備える。
【００３１】
また、ケーブル３０の光コネクタ３２は、信号受信装置２０の光コネクタ２４の接点２６ａ〜２６ｆにインタフェースを合わせた接点３２ａ〜３２ｆを備える。また、光コネクタ３２は、信号受信装置２０の光コネクタ２４の接点２７ａ，２７ｂにインタフェースを合わせた接点３６ａ，３６ｂを備える。
【００３２】
本例において、信号送信装置１０が備える電気信号処理部１３ａ〜１３ｄ、電光変換部１５ａ〜１５ｄ及び接点１６ａ〜１６ｄを、複数本の本線伝送路３３ａ〜３３ｄを介して光信号を送信する本線伝送路送信部１９ａとする。また、電気信号処理部１３ｅ，１３ｆ、電光変換部１５ｅ，１５ｆ及び接点１６ｅ，１６ｆを、本線伝送路３３ａ〜３３ｄと対となる予備伝送路３４ａ，３４ｂを介して光信号を送信する予備伝送路送信部１９ｂとする。
【００３３】
一方、信号受信装置２０が備える電気信号処理部２３ａ〜２３ｄ、光電変換部２５ａ〜２５ｄ及び接点２６ａ〜２６ｄを、本線伝送路３３ａ〜３３ｄを介して光信号を受信する本線伝送路受信部２９ａとする。また、電気信号処理部２３ｅ，２３ｆ、光電変換部２５ｅ，２５ｆ及び接点２６ｅ，２６ｆを、本線伝送路３３ａ〜３３ｄと対となる予備伝送路３４ａ，３４ｂを介して光信号を受信する予備伝送路受信部２９ｂとする。
【００３４】
信号受信装置２０が備える第２の制御部２８は、いずれかの電気信号処理部２３ａ〜２３ｆによって電気信号にエラー等の異常が検出されると、異常が生じた可能性がある本線伝送路を特定する。第２の制御部２８は、光電変換部２５ａ〜２５fによって検出される光信号のレベルの低下によって、本線伝送路の異常を特定することも可能である。
【００３５】
次に、第２の制御部２８は、制御信号を伝送する通信路３７ａを介して、信号送信装置１０に対して異常が生じた本線伝送路を特定する情報を送信する。そして、第２の制御部２８は、信号送信装置１０が切替えた予備伝送路を特定する情報を、信号送信装置１０から通信路３７ｂを介して受信する。これらの情報は、制御信号に含まれる。
【００３６】
一方、信号送信装置１０が備える第１の制御部１８は、異常が生じた本線伝送路を特定する情報を、信号受信装置２０から通信路３７ａを介して受信する。次に、信号送信装置１０は、この情報に基づいて、信号受信装置２０から指定された予備伝送路で光信号を送信するように本線伝送路送信部１９ａ及び予備伝送路送信部１９ｂのいずれかに切替える指示を第１の選択部１２に行う。そして、信号送信装置１０は、信号受信装置２０に対して切替えた予備伝送路を特定する情報を送信する。
これにより、ケーブル３０に異常が生じても、速やかに対応することが可能となる。
【００３７】
図３は、本線伝送路から予備伝送路への切替え処理の例を示す。
始めに、信号送信装置１０は、本線伝送路で光信号を送信する（ステップＳ１）。一方、信号受信装置２０は、本線伝送路で光信号を受信する（ステップＳ２）。そして、光電変換部２５ａ〜２５ｆは、光信号を電気信号に変換する（ステップＳ３）。
【００３８】
次に、電気信号処理部２３ａ〜２３ｆは、変換された電気信号に付加されるエラーチェックコードを復元し、本線伝送路毎にエラー発生の有無を第２の制御部２８に通知する。第２の制御部２８は、電気信号処理部２３ａ〜２３ｆから通知されたエラー発生の有無に基づいて、本線伝送路の正常又は異常を判断する（ステップＳ４）。
【００３９】
第２の制御部２８は、本線伝送路が正常であると判断した場合、ステップＳ２に処理を移し、引き続き光信号の受信を行う。一方、第２の制御部２８は、本線伝送路の一部が異常であると判断した場合、第２の制御部２８は、異常が発生した本線伝送路を特定する。
【００４０】
次に、第２の制御部２８は、異常が発生した本線伝送路の使用を停止し、異常が生じた本線伝送路を特定する情報を第１の制御部１８に通知する（ステップＳ５）。このとき、第２の制御部２８は、通信路３７ａを介して、光信号の送信を予備伝送路３４ａ，３４ｂのいずれかに切替えるよう第１の制御部１８に指示を行ってもよい。
【００４１】
次に、第１の制御部１８は、第２の制御部２８から異常が生じた本線伝送路を通知されると、通知された本線伝送路から予備伝送路に切替える（ステップＳ６）。次に、信号送信装置１０は、本線伝送路と、切替えられた予備伝送路を用いて光信号を送信する（ステップＳ７）。
【００４２】
そして、信号受信装置２０は、切替えられた予備伝送路を介して光信号を受信する（ステップＳ８）。引き続き信号受信装置２０は、光信号が送信される本線伝送路と予備伝送路の障害発生の有無を監視する。
【００４３】
このように、本線伝送路３３ａ〜３３ｄを通過する光信号のレベルが低下したり、エラーが起きたりした場合、もしくは異常が発生することを予想できる状態になった場合、信号受信装置２０は、異常が生じた本線伝送路を特定する情報を信号送信装置１０に通知する。この通知によって、異常が生じた本線伝送路で送信中であったり、送信しようとしていたりしたデータの光信号を予備伝送路に切替えて滞りなく送ることが可能となる。なお、信号送信装置１０が既に送信したデータについては、信号受信装置２０が再送信を求めてもよい。
【００４４】
例えば、図２に示すように、本線伝送路３３ａに第１の電気信号を変換した第１の光信号を送信し、本線伝送路３３ｂに第２の電気信号を変換した第２の光信号を送信しているとする。同様に、本線伝送路３３ｃに第３の電気信号を変換した第３の光信号を送信し、本線伝送路３３ｄに第４の電気信号を変換した第４の光信号を送信しているとする。
【００４５】
このとき、第１の制御部１８は、光信号が伝送される本線伝送路又は予備伝送路に対応する電光変換部に供給する電力に対して、光信号が伝送されない本線伝送路又は予備伝送路に対応する電光変換部に供給する電力を抑える。例えば、第１の制御部１８は、未使用である予備伝送路３４ａ，３４ｆに対応する電気信号処理部１３ｅ，１３ｆ、電光変換部１５ｅ，１５ｆに供給する電力を減らしたり、停止したりする電力抑制の制御を行う。
【００４６】
一方、第２の制御部２８は、光信号が伝送される本線伝送路又は予備伝送路に対応する光電変換部に供給する電力に対して、光信号が伝送されない本線伝送路又は予備伝送路に対応する光電変換部に供給する電力を抑える。例えば、第２の制御部２８は、未使用である電気信号処理部２３ｅ，２３ｆ、光電変換部２５ｅ，２５ｆに供給する電力を減らしたり、停止したりする電力抑制の制御を行う。
【００４７】
仮に、本線伝送路３３ａ，３３ｂの光コネクタ３１，３１のいずれか、又はケーブル３０の内部に生じた障害によって、第１及び第２の光信号を正しく伝送できなくなった場合を想定する。このとき、信号受信装置２０の電気信号処理部２３ａ，２３ｂが伝送エラーを検出することによって、第２の制御部２８は異常が生じた光伝送路を特定する。そして、第２の制御部２８は、異常が生じた光伝送路を特定する情報を、第１の制御部１８に通知する。
【００４８】
第１の制御部１８は、第２の制御部２８から異常が生じた光伝送路を特定する情報を受信すると、使用が開始される予備伝送路３４ａ，３４ｆに対応する電気信号処理部１３ｅ，１３ｆ、電光変換部１５ｅ，１５ｆに電力を供給する制御を行う。このとき、第１の制御部１８は、使用が開始される予備伝送路を特定する情報を第２の制御部２８に通知する。そして、第２の制御部２８は、使用が開始される電気信号処理部２３ｅ，２３ｆ、光電変換部２５ｅ，２５ｆに電力を供給する制御を行う。
【００４９】
一方、第１の制御部１８は、未使用となった電気信号処理部１３ａ，１３ｂ、電光変換部１５ａ，１５ｂに供給する電力を減らしたり、停止したりする電力抑制制御を行う。同様に、第２の制御部２８は、未使用となった電気信号処理部２３ａ，２３ｂ、光電変換部２５ａ，２５ｂに対する電力供給を減らしたり、遮断したりする電力抑制制御を行う。
このように、使用しない光伝送路に供給する電力を制限することによって、必要最低限の光伝送路で送った場合と同等の消費電力に抑制できる。
【００５０】
以上説明した第１の実施の形態に係る信号伝送システム１では、制御信号を伝送するために電気信号を伝送する通信路３７ａ，３７ｂを用意した例について示した。一般的に電気の接点は光の接点よりも埃や汚れなどに強いが、高速信号の伝送は難しいという特徴がある。光伝送路を切り替える制御において高速通信を必要としないが、比較的安定して制御を行うために通信路３７ａ，３７ｂを用いている。このため、高速に伝送路を制御する場合で、光の双方向の通信や逆方向の光通信路がある場合は、制御信号を伝送する通信路として光通信路を用いても構わない。
【００５１】
また、一つの光コネクタ１４，２４には、本線伝送路と予備伝送路に対応する各部をまとめており、複数のコネクタ・ケーブルで予備伝送路を確保する必要が無い。このため、コネクタの接続が容易でケーブルの取り回しも非常に容易になる。
【００５２】
また、光コネクタ１４，２４，３１，３２にゴミが付着したり、接触不良が生じたり、接合部・ケーブルの損傷等によって本線伝送路３３ａ〜３３ｄの一部が断線しても予備伝送路３４ａ，３４ｂで光信号を伝送することが可能である。このため、ゴミや接触不良、光コネクタやケーブル３０の損傷等で光伝送路の接続が断線したり、通信品質が低下したりする場合であっても、新たなケーブル３０や信号伝送システム１を用意し、修理やクリーニング作業をする必要がない。このため、そのまま使える可能性が高くなり、埃が多い場所における信号伝送システム１の運用を容易となるという効果を奏する。
【００５３】
また、ゴミや接触不良、接合部・ケーブルの損傷等による接続断や伝送品質の低下が起きて使えなくなった光伝送路に対応する各部に供給する電力は抑制する。これにより、必要最小限の伝送路で送った場合と同等の消費電力を実現しながら、前述のような埃の多い場所での運用や簡単な運用を可能にする。
【００５４】
＜２．第２の実施の形態＞
次に、本発明の第２の実施の形態について、図４と図５を参照して説明する。
本実施の形態においても、信号送信装置４０と信号受信装置５０を備える信号伝送システム２に適用した例について説明する。以下の説明において、既に第１の実施の形態で説明した図１と図２に対応する部分には同一符号を付し、詳細な説明を省略する。
【００５５】
［信号伝送システムの内部構成例］
図４は、信号伝送システム２の内部構成例を示す。
信号送信装置４０は、入力部１１ａ〜１１ｄのそれぞれに対応するパラレル／シリアル変換部４１ａ〜４１ｄを備える。パラレル／シリアル変換部４１ａ〜４１ｄは、入力部１１ａ〜１１ｄから入力されるパラレル形式の電気信号をシリアル形式の電気信号に変換し、この電気信号を第１の選択部１２に供給するために用いられる。信号送信装置４０が備える他の処理部は、上述した第１の実施の形態に係る信号送信装置１０が備える処理部と同様である。そして、信号送信装置４０は、ケーブル３０を介して光信号を信号受信装置５０に送信する。
【００５６】
信号受信装置５０は、出力部２１ａ〜２１ｄのそれぞれに対応するシリアル／パラレル変換部５１ａ〜５１ｄを備える。シリアル／パラレル変換部５１ａ〜５１ｄは、第２の選択部２２から入力されるシリアル形式の電気信号をパラレル形式の電気信号に変換し、この電気信号を出力部２１ａ〜２１ｄに出力するために用いられる。信号受信装置５０が備える他の処理部は、上述した第１の実施の形態に係る信号受信装置２０が備える処理部と同様である。そして、信号受信装置５０は、ケーブル３０を介して光信号を信号送信装置４０から受信したシリアル形式の光信号をパラレル形式の光信号に変換して、出力部２１ａ〜２１ｄより出力する。
【００５７】
以上説明した第２の実施の形態に係る信号伝送システム２によれば、入力部１１ａ〜１１ｄに入力されたパラレル形式の電気信号をシリアル形式の電気信号に変換した後、光信号に変換して信号受信装置５０に送信する。そして、信号受信装置５０は、ケーブル３０を介して受信した光信号をシリアル形式の電気信号に変換した後、パラレル形式の電気信号に変換して出力部２１ａ〜２１ｄより出力する。これにより、信号送信装置４０に入力される電気信号は、シリアル形式またはパラレル形式にかかわらず伝送することが可能となり、利便性が向上するという効果がある。
【００５８】
＜３．変形例＞
なお、上述した第１及び第２の実施の形態に係る信号伝送システム１では、第１の選択部１２が４つの光伝送路を選択して、第１の光信号〜第４の光信号をそのまま送信する例を説明した。しかし、第１の光信号〜第４の光信号を多重化して、３本以下の光伝送路に分割して送ってもよい。
【００５９】
また、各部に供給する電力を抑制する場合、電光変換部，光電変換部や各種信号処理部に供給する電力を停止したりクロックを送るのを止めたりする等の方法がある。しかし、それらを変更することは技術者であれば容易に考えることができるため、それらを変更したものは本発明に含まれる。
【００６０】
また、通信路３７ａ，３７ｂは、ケーブル３０に含まれる構成としたが、例えば、無線通信や他のネットワークに含まれる構成としてもよい。このような構成とすることによって、耐障害性が高まるという効果がある。
【００６１】
また、上述した第１及び第２の実施の形態では、信号送信装置から信号受信装置への一方向の光伝送を示しているが、いずれかの光伝送路が逆方向であったり、双方向であったりしても構わない。また、光コネクタ１４に電光変換部１５ａ〜１５ｆが内蔵される構成としたが、電光変換部１５ａ〜１５ｆは光コネクタ１４の外部に設け、接点１６ａ〜１６ｆだけが光コネクタ１４に含まれる構成としてもよい。逆に、電光変換部１５ａ〜１５ｆに加えて、第１の選択部１２，電気信号処理部１３ａ〜１３ｆ及びその他の処理部が光コネクタ１４に内蔵されていても構わない。また、光コネクタ２４についても同様に様々な構成を取りうる。
【００６２】
また、本線伝送路から予備伝送路への切替え指示は、伝送路の異常発生にかかわらず、信号受信装置２０が行ってもよい。この場合、第１の制御部１８は、選択された予備伝送路３４ａ，３４ｂで光信号を送信するように本線伝送路から予備伝送路に切替える処理を行う。具体的には、本線伝送路送信部１９ａが用いる本線伝送路３３ａ〜３３ｄのうち一の本線伝送路から、予備伝送路３４ａ，３４ｂのうち一の予備伝送路に切替える指示を第１の選択部１２に行う。そして、第１の制御部１８は、切替えた予備伝送路を特定する情報を信号受信装置５０に送信する。
【００６３】
図５は、本線伝送路から予備伝送路への切替え処理の変形例を示す。
以下、上述した第１の実施の形態に係る信号伝送システム１の変形例として説明するが、第２の実施の形態に係る信号伝送システム２の変形例として適用してもよい。
【００６４】
始めに、信号送信装置１０の第１の制御部１８は、本線伝送路３３ａ〜３３ｄで光信号を送信中に、予備伝送路３４ａ，３４ｂのいずれかに切替える指示を行う（ステップＳ１１）。この指示は、本線伝送路３３ａ〜３３ｄのいずれかにエラーが発生していなくても、信号送信装置１０の制御により行うことができる。
【００６５】
次に、信号送信装置１０の第２の制御部２８は、受け取った切替え指示に基づいて、予備伝送路で光信号を受信する用意を行う（ステップＳ１２）。そして、第２の制御部２８は、予備伝送路への受信用意が完了したことを信号送信装置１０に通知する（ステップＳ１３）。
【００６６】
次に、第１の制御部１８は、信号受信装置２０から完了通知を受け取ると、光信号を伝送する伝送路を本線伝送路から予備伝送路３４ａ，３４ｂのいずれかに切替える（ステップＳ１４）。
【００６７】
次に、信号送信装置１０は、本線伝送路と、切替えられた予備伝送路を用いて光信号を送信する（ステップＳ１５）。そして、信号受信装置２０は、切替えられた予備伝送路を介して光信号を受信する（ステップＳ１６）。
【００６８】
これにより、信号送信装置１０は、本線伝送路から予備伝送路への切替えを信号受信装置２０に指示できる。このため、光信号を送信中であっても伝送路の切替えが容易に行えるようになり、保守が容易となるという効果がある。
【符号の説明】
【００６９】
１，２…信号伝送システム、１０…信号送信装置、１１ａ〜１１ｄ…入力部、１２…第１の選択部、１３ａ〜１３ｆ…電気信号処理部、１４…光コネクタ、１５ａ〜１５ｆ…光電変換部、１６…第１の制御部、１６ａ〜１６ｆ…接点、１７ａ，１７ｂ…接点、１８…第１の制御部、２０…信号受信装置、２１ａ〜２１ｄ…出力部、２２…第２の選択部、２３ａ〜２３ｆ…電気信号処理部、２４…光コネクタ、２５ａ〜２５ｆ…光電変換部、２６…第２の制御部、２６ａ〜２６ｆ…接点、２７ａ，２７ｂ…接点、２８…第２の制御部、３０…ケーブル、３１…光コネクタ、３１ａ〜３１ｆ…接点、３２…光コネクタ、３２ａ〜３２ｆ…接点、３３ａ〜３３ｄ…本線伝送路、３４ａ，３４ｂ…予備伝送路、３５ａ，３５ｂ…接点、３６ａ，３６ｂ…接点、３７ａ，３７ｂ…通信路、４０…信号送信装置、４１ａ〜４１ｄ…パラレル／シリアル変換部、５０…信号受信装置、５１ａ〜５１ｄ…シリアル／パラレル変換部
【図１】
2010161750.tif 000003
【図２】
2010161750.tif 000004
【図３】
2010161750.tif 000005
【図４】
2010161750.tif 000006
【図５】
2010161750.tif 000007
【手続補正書】
【提出日】平成22年1月15日(2010.1.15)
【手続補正１】
【補正対象書類名】明細書
【補正対象項目名】００４５
【補正方法】変更
【補正の内容】
【００４５】
このとき、第１の制御部１８は、光信号が伝送される本線伝送路又は予備伝送路に対応する電光変換部に供給する電力に対して、光信号が伝送されない本線伝送路又は予備伝送路に対応する電光変換部に供給する電力を抑える。例えば、第１の制御部１８は、未使用である予備伝送路３４ａ，３４ｂに対応する電気信号処理部１３ｅ，１３ｆ、電光変換部１５ｅ，１５ｆに供給する電力を減らしたり、停止したりする電力抑制の制御を行う。
【手続補正２】
【補正対象書類名】明細書
【補正対象項目名】００４７
【補正方法】変更
【補正の内容】
【００４７】
仮に、本線伝送路３３ａ，３３ｂの光コネクタ３１，３２のいずれか、又はケーブル３０の内部に生じた障害によって、第１及び第２の光信号を正しく伝送できなくなった場合を想定する。このとき、信号受信装置２０の電気信号処理部２３ａ，２３ｂが伝送エラーを検出することによって、第２の制御部２８は異常が生じた光伝送路を特定する。そして、第２の制御部２８は、異常が生じた光伝送路を特定する情報を、第１の制御部１８に通知する。
【手続補正３】
【補正対象書類名】明細書
【補正対象項目名】００４８
【補正方法】変更
【補正の内容】
【００４８】
第１の制御部１８は、第２の制御部２８から異常が生じた光伝送路を特定する情報を受信すると、使用が開始される予備伝送路３４ａ，３４ｂに対応する電気信号処理部１３ｅ，１３ｆ、電光変換部１５ｅ，１５ｆに電力を供給する制御を行う。このとき、第１の制御部１８は、使用が開始される予備伝送路を特定する情報を第２の制御部２８に通知する。そして、第２の制御部２８は、使用が開始される電気信号処理部２３ｅ，２３ｆ、光電変換部２５ｅ，２５ｆに電力を供給する制御を行う。
【手続補正４】
【補正対象書類名】明細書
【補正対象項目名】００５８
【補正方法】変更
【補正の内容】
【００５８】
＜３．変形例＞
なお、上述した第１及び第２の実施の形態に係る信号伝送システム１，２では、第１の選択部１２が４つの光伝送路を選択して、第１の光信号〜第４の光信号をそのまま送信する例を説明した。しかし、第１の光信号〜第４の光信号を多重化して、３本以下の光伝送路に分割して送ってもよい。
【手続補正５】
【補正対象書類名】特許請求の範囲
【補正対象項目名】全文
【補正方法】変更
【補正の内容】
【特許請求の範囲】
【請求項１】
複数本の本線伝送路を介して光信号を送信する本線伝送路送信部と、
前記本線伝送路と対となる予備伝送路を介して前記光信号を送信する予備伝送路送信部と、
前記光信号を送信する伝送路を、前記本線伝送路送信部及び前記予備伝送路送信部によって前記光信号が送信されるいずれかの伝送路から選択する選択部と、
少なくとも１本の前記本線伝送路に異常が生じた場合に、前記光信号を受信する信号受信装置から受け取る、前記異常が生じた前記本線伝送路を特定する情報に基づいて、前記本線伝送路送信部には前記異常が生じた前記本線伝送路への前記光信号の送信を停止させ、前記予備伝送路送信部には前記異常が生じた前記本線伝送路へ送信していた前記光信号を前記予備伝送路に送信させる切替え指示を前記選択部に行う制御部と、を備える
信号送信装置。
【請求項２】
前記本線伝送路送信部及び前記予備伝送路送信部は、前記選択部によって選択された伝送路に送信される電気信号を前記光信号に変換する電光変換部を備え、
前記制御部は、前記光信号が伝送される前記本線伝送路又は予備伝送路に対応する前記電光変換部に供給する電力に対して、前記光信号が伝送されない前記本線伝送路又は予備伝送路に対応する前記電光変換部に供給する電力を抑える
請求項１記載の信号送信装置。
【請求項３】
入力されるパラレル形式の電気信号をシリアル形式の電気信号に変換し、前記シリアル形式の電気信号を前記選択部に供給するパラレル／シリアル変換部を備える
請求項２記載の信号送信装置。
【請求項４】
前記制御部は、選択された前記予備伝送路で前記光信号を送信するように前記本線伝送路送信部が用いる前記本線伝送路のうち一の本線伝送路から、前記予備伝送路のうち一の予備伝送路に切替える指示を前記選択部に行い、前記切替えた予備伝送路を特定する情報を前記信号受信装置に送信する
請求項３記載の信号送信装置。
【請求項５】
前記制御部は、制御信号を伝送する通信路を介して、前記信号受信装置から前記異常が生じた前記本線伝送路を特定する情報を受信し、前記信号受信装置に対して前記切替えた予備伝送路を特定する情報を送信する
請求項４記載の信号送信装置。
【請求項６】
前記本線伝送路送信部及び前記予備伝送路送信部は、前記電気信号にエラーチェックコードを埋め込む
請求項５記載の信号送信装置。
【請求項７】
本線伝送路を介して光信号を受信する本線伝送路受信部と、
前記本線伝送路と対となる予備伝送路を介して前記光信号を受信する予備伝送路受信部と、
前記光信号を受信する伝送路を、前記本線伝送路受信部及び前記予備伝送路受信部から選択する選択部と、
少なくとも１本の前記本線伝送路に異常が生じた場合に、前記異常が生じた本線伝送路を特定する情報を、前記光信号を送信する信号送信装置に送信し、前記本線伝送路受信部には前記異常が生じた前記本線伝送路からの前記光信号の受信を停止させ、前記予備伝送路受信部には前記異常が生じた前記本線伝送路から受信していた前記光信号を前記信号送信装置が指定した前記予備伝送路に受信させる切替え指示を前記選択部に行う制御部と、を備える
信号受信装置。
【請求項８】
前記本線伝送路受信部及び前記予備伝送路受信部は、前記本線伝送路及び前記予備伝送路を介して受信する前記光信号を電気信号に変換する光電変換部を備え、
前記制御部は、前記光信号が伝送される前記本線伝送路又は予備伝送路に対応する前記光電変換部に供給する電力に対して、前記光信号が伝送されない前記本線伝送路又は予備伝送路に対応する前記光電変換部に供給する電力を抑える
請求項７記載の信号受信装置。
【請求項９】
前記選択部から供給されるシリアル形式の電気信号をパラレル形式の電気信号に変換し、前記パラレル形式の電気信号を出力するシリアル／パラレル変換部を備える
請求項８記載の信号受信装置。
【請求項１０】
前記制御部は、制御信号を伝送する通信路を介して、前記信号送信装置に対して前記異常が生じた前記本線伝送路を特定する情報を送信し、前記信号送信装置から前記切替えた予備伝送路を特定する情報を受信する
請求項９記載の信号受信装置。
【請求項１１】
前記制御部は、前記光信号が光電変換された前記電気信号に埋め込まれるエラーチェックコードを解読することによって、前記本線伝送路の異常を検出する
請求項１０記載の信号受信装置。
【請求項１２】
前記制御部は、前記本線伝送路の異常を、前記光信号のレベルの変化によって検出する
請求項１０記載の信号受信装置。
【請求項１３】
複数本の本線伝送路を介して光信号を送信する本線伝送路送信部と、
前記本線伝送路と対となる予備伝送路を介して前記光信号を送信する予備伝送路送信部と、
前記光信号を送信する伝送路を、前記本線伝送路送信部及び前記予備伝送路送信部から選択する第１の選択部と、
少なくとも１本の前記本線伝送路に異常が生じた場合に、前記光信号を受信する信号受信装置から受け取る、前記異常が生じた前記本線伝送路を特定する情報に基づいて、前記本線伝送路送信部には前記異常が生じた前記本線伝送路への前記光信号の送信を停止させ、前記予備伝送路送信部には前記異常が生じた前記本線伝送路へ送信していた前記光信号を前記信号受信装置によって指定された前記予備伝送路に送信させる切替え指示を前記選択部に行う第１の制御部と、を備える信号送信装置と、
前記本線伝送路を介して光信号を受信する本線伝送路受信部と、
前記予備伝送路を介して前記光信号を受信する予備伝送路受信部と、
前記光信号を受信する伝送路を、前記本線伝送路受信部及び前記予備伝送路受信部から選択する第２の選択部と、
少なくとも１本の前記本線伝送路に異常が生じた場合に、前記異常が生じた本線伝送路を特定する情報を、前記信号送信装置に送信し、前記本線伝送路受信部には前記異常が生じた前記本線伝送路からの前記光信号の受信を停止させ、前記予備伝送路受信部には前記異常が生じた前記本線伝送路から受信していた前記光信号を前記信号送信装置が指定した前記予備伝送路に受信させる切替え指示を前記選択部に行う第２の制御部と、を備える信号受信装置と、を備える
信号伝送システム。